(57)【要約】  ＳＯＨＣ型の内燃機関10の動弁機構30において、吸気弁を開閉する吸気ロッカアーム43と排気弁を開閉する排気ロッカアーム44は、カムシャフト31のカム軸線Cx方向視で部分的に重なるとともに、内燃機関のシリンダ軸線Cy方向視で交差するように重なり、カムシャフト31に形成された共通のカムロブ32により作動される。そして、カムロブ32は単体に統合されている。これにより、カムシャフト31のカムロブ32周辺を軸方向に小さく抑えられ、内燃機関が小型化される。
2016052530.tif 000002
【特許請求の範囲】
【請求項１】
シリンダヘッド(17)上に設けられ、カムロブ(32)を有する１本のカムシャフト(31)と、カムロブ(32)の作用を受けて揺動し、それぞれ吸気バルブ(25)と排気バルブ(26)を作動して燃焼室(22)に臨む吸気ポート(23p)の開口と排気ポート(24p)の開口をそれぞれ所定のタイミングで開閉する吸気ロッカアーム(43)と排気ロッカアーム(44)とを備える、ＳＯＨＣ型内燃機関の動弁機構において、
前記吸気ロッカアーム(43)と前記排気ロッカアーム(44)は、前記カムシャフト(31)のカム軸線(Cx)方向視で部分的に重なるとともに、内燃機関のシリンダ軸線(Cy)方向視で交差するように重なり、前記カムシャフト(31)に形成された前記カムロブ(32)が単体に統合されていることを特徴とする内燃機関の動弁機構。
【請求項２】
前記吸気ロッカアーム(43)と前記排気ロッカアーム(44)は、前記吸気バルブ(25)と前記排気バルブ(26)の間に配設された共通のロッカアームシャフト(41)に、それぞれの揺動軸支部(43a,44a)において揺動自在に軸支され、
それぞれの揺動軸支部(43a,44a)から相反する側に前記カムロブ(32)に接するカム側アーム部(43c,44c)と前記吸気バルブ(25)および前記排気バルブ(26)に作用するバルブ側アーム部(43v,44v)とが延出していることを特徴とする請求項１記載の内燃機関の動弁機構。
【請求項３】
前記吸気ロッカアーム(43)と前記排気ロッカアーム(44)のうち一方のロッカアーム(43)のカム側アーム部(43c)は、前記ロッカアームシャフト(41)の軸方向で他方のロッカアーム(44)側に屈曲して、該カム側アーム部(43c)の先端接触部(43r)が他方のロッカアーム(44)の揺動軸支部(44a)と同じ軸方向位置に偏移することを特徴とする請求項２記載の内燃機関の動弁機構。
【請求項４】
前記吸気ロッカアーム(43)と前記排気ロッカアーム(44)のうち一方のロッカアーム(44)のバルブ側アーム部(44v)は、前記ロッカアームシャフト(41)の軸方向で他方のロッカアーム(43)側に屈曲して、該バルブ側アーム部(44v)の先端作用部(44t)が他方のロッカアーム(43)の揺動軸支部(43a)と同じ軸方向位置に偏移することを特徴とする請求項２記載の内燃機関の動弁機構。
【請求項５】
前記吸気ロッカアーム(43)と前記排気ロッカアーム(44)のうち一方のロッカアーム(43)のカム側アーム部(43c)は、前記ロッカアームシャフト(41)の軸方向で他方のロッカアーム(44)側に屈曲して、該カム側アーム部(43c)の先端接触部(43r)が他方のロッカアーム(44)の揺動軸支部(44a)と同じ軸方向位置に偏移し、
他方のロッカアーム(44)のバルブ側アーム部(44v)は、前記軸方向で一方のロッカアーム(43)側に屈曲して、該バルブ側アーム部(44v)の先端作用部(44t)が一方のロッカアーム(43)の揺動軸支部(43a)と同じ軸方向位置に偏移することを特徴とする請求項２記載の内燃機関の動弁機構。
【請求項６】
前記一方のロッカアーム(43)のカム側アーム部(43c)の屈曲部(43e)と前記他方のロッカアーム(44)のバルブ側アーム部(44v)の屈曲部(44e)は、互いに隣接することを特徴とする請求項５記載の内燃機関の動弁機構。
【請求項７】
前記吸気ロッカアーム(43)と前記排気ロッカアーム(44)の前記カムロブ(32)に接する各カム側アーム部(43c,44c)の先端接触部(43r,44r)は、回転自在に軸支されたローラ(43r,44r)であることを特徴とする請求項１ないし請求項６のいずれか１項記載の内燃機関の動弁機構。
【請求項８】
前記ローラ(43r,44r)は、片持ち支持されることを特徴とする請求項７記載の内燃機関の動弁機構。
【発明の詳細な説明】
【技術分野】
【０００１】
本発明は、内燃機関の動弁機構に関する。
【背景技術】
【０００２】
シリンダヘッド上に設けられる１本のカムシャフトが設けられた動弁機構を備えたＳＯＨＣ型の内燃機関は、同カムシャフトの回転により揺動する吸気ロッカアームと排気ロッカアームが、それぞれ吸気バルブと排気バルブを作動して燃焼室に臨む吸気ポートの開口と排気ポートの開口をそれぞれ所定のタイミングで開閉する。【０００３】
吸気ロッカアームと排気ロッカアームは、互いの干渉を避けてカムシャフトの軸方向にオフセットしており、したがって、吸気ロッカアームと排気ロッカアームを揺動するカムシャフトは、それぞれ軸方向に離れて設けられた吸気用カムロブと排気用カムロブを有しているのが、一般的である（例えば、特許文献１参照）。
【先行技術文献】
【特許文献】
【０００４】
【特許文献１】日本国特開平７−１０９９０６号公報
【０００５】
特許文献１に開示されたＳＯＨＣ型の内燃機関は、共通のロッカアームシャフトに吸気ロッカアームと排気ロッカアームが揺動自在に軸支され、カムシャフトのカム軸線方向視で揺動軸支部が互いに重なっており、各揺動軸支部からそれぞれ両側にカムシャフトに垂直な方向にカム側アーム部とバルブ側アーム部が直線的に延出していて、吸気ロッカアームと排気ロッカアームは、カムシャフトに垂直で互いに平行に配設されている。【０００６】
互いに平行な吸気ロッカアームと排気ロッカアームの各揺動軸支部から延出したカム側アーム部が、カムシャフトの軸方向に離れて設けられた吸気用カムロブと排気用カムロブにそれぞれと接する。
【発明の概要】
【発明が解決しようとする課題】
【０００７】
このように、カムシャフトの吸気用カムロブと排気用カムロブがカムシャフトの軸方向に離間して設けられることで、カムシャフトのカムロブ周辺が軸方向に拡がっており、内燃機関の小型化を妨げている。【０００８】
本発明は、かかる点に鑑みなされたもので、その目的とする処は、カムシャフトのカムロブ周辺を軸方向に小さく抑え、内燃機関の小型化を図ることができる内燃機関の動弁機構を供する点にある。
【課題を解決するための手段】
【０００９】
上記目的を達成するために、本発明は、シリンダヘッド上に設けられ、カムロブを有する１本のカムシャフトと、カムロブの作用を受けて揺動し、それぞれ吸気バルブと排気バルブを作動して燃焼室に臨む吸気ポートの開口と排気ポートの開口をそれぞれ所定のタイミングで開閉する吸気ロッカアームと排気ロッカアームとを備える、ＳＯＨＣ型内燃機関の動弁機構において、前記吸気ロッカアームと前記排気ロッカアームは、前記カムシャフトのカム軸線方向視で部分的に重なるとともに、内燃機関のシリンダ軸線方向視で交差するように重なり、前記カムシャフトに形成された前記カムロブが単体に統合されていることを特徴とする内燃機関の動弁機構を提供する。【００１０】
本発明の好適な実施形態においては、前記吸気ロッカアームと前記排気ロッカアームは、前記吸気バルブと前記排気バルブの間に配設された共通のロッカアームシャフトに、それぞれの揺動軸支部において揺動自在に軸支され、それぞれの揺動軸支部から相反する側に、前記カムロブに接するカム側アーム部と前記吸気バルブおよび前記排気バルブに作用するバルブ側アーム部とが延出する。【００１１】
本発明の好適な実施形態においては、前記吸気ロッカアームと前記排気ロッカアームのうち一方のロッカアームのカム側アーム部は、前記ロッカアームシャフトの軸方向で他方のロッカアーム側に屈曲して、該カム側アーム部の先端接触部が他方のロッカアームの揺動軸支部と同じ軸方向位置に偏移している。【００１２】
本発明の好適な実施形態においては、前記吸気ロッカアームと前記排気ロッカアームのうち一方のロッカアームのバルブ側アーム部は、前記ロッカアームシャフトの軸方向で他方のロッカアーム側に屈曲して、該バルブ側アーム部の先端作用部が他方のロッカアームの揺動軸支部と同じ軸方向位置に偏移している。【００１３】
本発明の好適な実施形態によれば、前記吸気ロッカアームと前記排気ロッカアームのうち一方のロッカアームのカム側アーム部は、前記ロッカアームシャフトの軸方向で他方のロッカアーム側に屈曲して、該カム側アーム部の先端接触部が他方のロッカアームの揺動軸支部と同じ軸方向位置に偏移し、他方のロッカアームのバルブ側アーム部は、前記軸方向で一方のロッカアーム側に屈曲して、該バルブ側アーム部の先端作用部が一方のロッカアームの揺動軸支部と同じ軸方向位置に偏移している。【００１４】
本発明の好適な実施形態によれば、前記一方のロッカアームのカム側アーム部の屈曲部と前記他方のロッカアームのバルブ側アーム部の屈曲部は、互いに隣接する。【００１５】
典型的には、前記吸気ロッカアームと前記排気ロッカアームの前記カムロブに接する各カム側アーム部の先端接触部は、回転自在に軸支されたローラである。【００１６】
前記ローラは、片持ち支持されるようにしてもよい。
【発明の効果】
【００１７】
本発明の内燃機関の動弁機構によれば、ＳＯＨＣ型内燃機関の動弁機構において、吸気ロッカアームと排気ロッカアームは、カムシャフトのカム軸線方向視で部分的に重なるとともに、シリンダ軸線方向視で交差するように重なり、カムシャフトに形成された共通のカムロブにより作動されるので、カムシャフトにはカムロブが１つ形成され、吸気ロッカアームと排気ロッカアームがシリンダ軸線方向視で交差するように重なって双方が１つの共通のカムロブに接する構成で、カムシャフトのカムロブ周辺を軸方向に小さく抑え、内燃機関の小型化を図ることができる。【００１８】
吸気ロッカアームと排気ロッカアームは、吸気バルブと排気バルブの間に配設された共通のロッカアームシャフトに揺動自在に軸支され、それぞれ揺動軸支部から相反する側に前記カムロブに接するカム側アーム部と前記吸気バルブまたは前記排気バルブに作用するバルブ側アーム部とが延びているようにすることにより、吸気ロッカアームと排気ロッカアームはロッカアームシャフトを共通にすることで、部品点数を減らし、ロッカアームシャフトの周辺を小さく抑えてシリンダヘッドを小型にし、内燃機関の小型化を図ることができる。【００１９】
吸気ロッカアームと排気ロッカアームのうち一方のロッカアームのカム側アーム部が、軸方向で他方のロッカアーム側に屈曲して、該カム側アーム部の先端接触部が他方のロッカアームの揺動軸支部と同じ軸方向位置に偏移していることで、吸気ロッカアームと排気ロッカアームの各カム側アーム部の先端接触部を軸方向で略同じ位置にすることができ、よって共通のカムロブの軸方向幅を狭くし、動弁機構のカムシャフトのカムロブ周辺を軸方向に小さく抑えてコンパクトに構成し、シリンダヘッドをより一層小型化することができる。【００２０】
吸気ロッカアームと排気ロッカアームのうち一方のロッカアームのバルブ側アーム部が、軸方向で他方のロッカアーム側に屈曲して、該バルブ側アーム部の先端作用部が他方のロッカアームの揺動軸支部と同じ軸方向位置に偏移していることで、吸気ロッカアームと排気ロッカアームの各バルブ側アーム部の先端作用部を軸方向で略同じ位置にすることができ、よって吸気バルブと排気バルブを軸方向で略同じ位置として狭い軸方向幅内に収めて、動弁機構をコンパクトに構成してシリンダヘッドをより一層小型化することができる。【００２１】
また、吸気ロッカアームと排気ロッカアームのうち一方のロッカアームのカム側アーム部が、軸方向で他方のロッカアーム側に屈曲して、該カム側アーム部の先端接触部が他方のロッカアームの揺動軸支部と同じ軸方向位置に偏移していることで、吸気ロッカアームと排気ロッカアームの各カム側アーム部の先端接触部を軸方向で略同じ位置にし、共通のカムロブの軸方向幅を狭くして、動弁機構のカムシャフトのカムロブ周辺を軸方向に小さく抑えてコンパクトに構成することができ、かつ他方のロッカアームのバルブ側アーム部は、軸方向で一方のロッカアーム側に屈曲して、該バルブ側アーム部の先端作用部が一方のロッカアームの揺動軸支部と同じ軸方向位置に偏移していることで、吸気ロッカアームと排気ロッカアームの各バルブ側アーム部の先端作用部を軸方向で略同じ位置にすることができる。よって、吸気バルブと排気バルブを軸方向で略同じ位置として狭い軸方向幅内に収めることで、動弁機構全体をコンパクトに構成してシリンダヘッドをより一層小型化することができ、内燃機関の一層の小型化を図ることができる。【００２２】
一方のロッカアームのカム側アーム部の屈曲部と前記他方のロッカアームのバルブ側アーム部の屈曲部は、互いに隣接することにより、吸気ロッカアームと排気ロッカアームは、各屈曲部を１つ処に集約することで、よりコンパクトに構成され、益々シリンダヘッドの小型化を図ることができる。【００２３】
吸気ロッカアームと排気ロッカアームのカムロブに接する各カム側アーム部の先端接触部は、回転自在に軸支されたローラであるので、カブロブとの接触による摺動抵抗を下げることができる。【００２４】
ローラが、片持ち支持される場合は、一方のローラ軸受部を省略でき、吸気ロッカアームと排気ロッカアームの軸方向幅を小さく抑えることができ、動弁機構の小型化を図ることができる。
【図面の簡単な説明】
【００２５】
【図１】本発明の一実施の形態に係る動弁機構を備える内燃機関の一部断面とした左側面図である。
【図２】図１のシリンダヘッドおよび動弁機構の拡大断面図である。
【図３】図２のIII−III矢視断面図である。
【図４】シリンダヘッドおよび動弁機構の上面図である。
【図５】シリンダヘッドおよびロッカアーム等を省略した動弁機構の上面図である。
【図６】軸方向から視たカムシャフト周辺の拡大図である。
【図７】デコンプ実行時のシリンダヘッドおよび動弁機構の断面図である。
【図８】別の実施の形態に係る動弁機構およびシリンダヘッドの上面図である。
【発明を実施するための形態】
【００２６】
以下、本発明に係る一実施の形態について図１ないし図７に基づいて説明する。
本実施の形態に係る動弁機構を備える内燃機関10は、自動二輪車に搭載されるＳＯＨＣ型２バルブの単気筒４ストローク内燃機関であり、車体（図示せず）に対してクランクシャフト12を車体幅方向に指向させ、気筒を若干前傾させて起立した姿勢で車体に懸架される。
なお、本明細書の説明において、前後左右の向きは、本実施の形態に係る自動二輪車の直進方向を前方とする通常の基準に従うものとする。
図中、矢印ＦＲは車両前方を、ＬＨは車両左方を、ＲＨは車両右方を、ＲＲは車両後方をそれぞれ示す。
【００２７】
図１は、本発明を適用した一実施の形態に係る動弁機構を備える内燃機関10の一部断面とした左側面図である。
内燃機関10のクランクシャフト12を回転自在に軸支するクランクケース11は、クランクシャフト12の後方に配設されるメインシャフト13とカウンタシャフト14の間に変速歯車機構15が構成されており、カウンタシャフト14は出力軸である。
【００２８】
クランクケース11の上には、１本のシリンダボア16ｂが形成されたシリンダブロック16と、シリンダブロック16の上にガスケットを介してシリンダヘッド17が重ねられ、シリンダブロック16とシリンダヘッド17は一体に締結され、シリンダヘッド17の上方をシリンダヘッドカバー18が覆っている。
クランクケース11の上に重ねられるシリンダブロック16，シリンダヘッド17，シリンダヘッドカバー18は、クランクケース11から若干前傾した姿勢で上方に延出している（図１参照）。
【００２９】
シリンダブロック16のシリンダボア16ｂにピストン20が往復摺動自在に嵌合され、ピストン20のピストンピン20ｐとクランクシャフト12のクランクピン12ｐとの間をコンロッド21が連接してクランク機構を構成している。
【００３０】
シリンダブロック16のシリンダボア16ｂ内を摺動するピストン20の頂面と同頂面が対向するシリンダヘッド17の天井面との間に燃焼室22が構成される。
シリンダヘッド17には、天井面にシリンダボア16ｂの中心軸線であるシリンダ軸線Ｃｙに関して互いに反対位置に１つずつ吸気弁口23と排気弁口24が燃焼室22に臨んで開口されるとともに、吸気弁口23と排気弁口24から各々吸気ポート23ｐと排気ポート24ｐが互いに離れる方向に湾曲しながら延出して形成されている。
【００３１】
図２を参照して、シリンダヘッド17に一体に嵌着された弁ガイド25ｇ，26ｇにそれぞれ摺動可能に支持される吸気バルブ25と排気バルブ26は、シリンダ軸線Ｃｙに関して略対称に、燃焼室22に向かって斜めに設けられて、吸気ポート23ｐと排気ポート24ｐが燃焼室22に臨む吸気弁口23と排気弁口24をそれぞれ開閉する。
【００３２】
吸気バルブ25および排気バルブ26は、燃焼室22に臨む吸気弁口23と排気弁口24を閉じるように、弁ばね25ｓ，26ｓにより上方に付勢されており、シリンダヘッド17の上に設けられる動弁機構30により駆動されて、吸気ポート23ｐの吸気弁口23および排気ポート24ｐの排気弁口24をクランクシャフト12の回転に同期して開閉する。
【００３３】
動弁機構30は、シリンダヘッド17の上に１本のカムシャフト31が左右方向に指向して軸支されたSOHC型内燃機関の動弁機構であり、図３に示されるように、カムシャフト31は、左右をベアリング33Ｌ，33Ｒにより回転自在に軸支されて架設され、カムシャフト31の左右ベアリング33Ｌ，33Ｒの間でシリンダ軸線Ｃｙより左側に所定のカムプロファイルを備えたカムロブ32が拡径して１つ形成されている。
【００３４】
カムシャフト31の左側のベアリング33Ｌを貫通した左端部には、カムチェーンスプロケット34が嵌着され、同カムチェーンスプロケット34とクランクシャフト12に嵌着された図示されないカムチェーンスプロケットとの間にカムチェーン35が架渡され、クランクシャフト12の回転を半分の回転速度でカムシャフト31に伝達する。
【００３５】
このカムシャフト31の上方に１本のロッカアームシャフト41が平行に両端を軸受部42Ｒ，42Ｌに支持されて架設されている。
この１本のロッカアームシャフト41に吸気ロッカアーム43と排気ロッカアーム44が、互いに隣接して揺動自在に軸支されている。
【００３６】
図３に示されるように、吸気ロッカアーム43の左側に排気ロッカアーム44が配置され、排気ロッカアーム44の下方にカムシャフト31の１つのカムロブ32が位置している。すなわち、カムロブ32は、カムシャフト31のカム軸線Ｃｘの軸方向位置（左右方向位置）が排気ロッカアーム44側に偏っている。
なお、図中、カムロブ32は、散点模様が施されている。
【００３７】
吸気ロッカアーム43と排気ロッカアーム44は、共通のロッカアームシャフト41に中間部を軸支される。
図２および図４を参照して、吸気ロッカアーム43は、中間の揺動軸支部43ａ、バルブ側アーム部43ｖおよびカム側アーム部43ｃからなり、バルブ側アーム部43ｖは、揺動軸支部43ａから後方に向かって、シリンダ軸線Ｃｙの後方に位置する吸気バルブ25の上端に向けて延出し、他方、カム側アーム部43ｃは、揺動軸支部43ａから前方に延出し、排気ロッカアーム44側に屈曲部43e（図４）で屈曲して、カムシャフト31の軸方向で排気ロッカアーム44側に偏った位置にあるカムロブ32のカム周面に向かって延びている。
【００３８】
同様に、図２および図４を参照して、排気ロッカアーム44は、中間の揺動軸支部44ａ、バルブ側アーム部44ｖおよびカム側アーム部44ｃからなり、カム側アーム部44cは、揺動軸支部44ａから後方に向かって、カムシャフト31の軸方向で排気ロッカアーム44側に偏った位置にあるカムロブ32のカム周面に向けて延出し、他方、揺動軸支部44ａから前方に延出するバルブ側アーム部44ｖは、吸気ロッカアーム43側に屈曲部44e（図４）で屈曲してシリンダ軸線Ｃｙの前方に位置する排気バルブ26の上端に向かって延びている。
【００３９】
したがって、吸気ロッカアーム43と排気ロッカアーム44は、カム軸線Ｃｘの指向する方向に視たカム軸線方向視（図２）で（またはロッカアームシャフト41の軸線方向視で）、中間の揺動軸支部43ａ，44ａが重なるとともに、シリンダ軸線Ｃｙの指向する方向に視たシリンダ軸線方向視（図４）で吸気ロッカアーム43のカム側アーム部43ｃと排気ロッカアーム44のバルブ側アーム部44ｖが交差するように重なる。
【００４０】
そして、吸気ロッカアーム43は、バルブ側アーム部43ｖの先端に螺着された調整ネジ43ｔが弁ばね25ｓにより上方に付勢された吸気バルブ25のバルブステムの上端に接し、カム側アーム部43ｃの先端の二股に分岐した一対のローラ軸受部43cc，43ccに支軸43raを介して吸気側ローラ43ｒが回転自在に軸支されており、このローラ43ｒがカムシャフト31のカムロブ32のカム周面に転がり接触する。
【００４１】
他方、排気ロッカアーム44は、バルブ側アーム部44ｖの先端に螺着された調整ネジ44ｔが弁ばね26ｓにより上方に付勢された排気バルブ26のバルブステムの上端に接し、カム側アーム部44ｃの先端の二股に分岐した一対のローラ軸受部44cc，44ccに支軸44raを介して排気側ローラ44ｒが回転自在に軸支されており、このローラ44ｒがカムシャフト31のカムロブ32のカム周面に転がり接触する。
【００４２】
図４を参照して、吸気ロッカアーム43のカム側アーム部43ｃは、カム軸線Ｃｘ方向で排気ロッカアーム44側（左側）に屈曲して、カム側アーム部43ｃの先端接触部である吸気側ローラ43ｒが排気ロッカアーム44の揺動軸支部44ａと同じカム軸線方向位置に偏移している。
【００４３】
図４および図５に示されるように、吸気ロッカアーム43のカム側アーム部43ｃの先端の吸気側ローラ43ｒと排気ロッカアーム44のカム側アーム部44ｃの先端の排気側ローラ44ｒとは、カムシャフト31の軸線方向位置が同じであり、カムシャフト31の１つのカムロブ32とも軸方向位置を同じくして、共通のカムロブ32のカム周面に転がり接触している。すなわち、吸気ロッカアーム43と排気ロッカアーム44に作用するために、従来、離れて設けられたカムロブは単体に統合されたカムロブ32となっている。
なお、吸気側ローラ43ｒの左側面と排気側ローラ44ｒの左側面は、カムロブ32の左側面と略同一面上にある。
【００４４】
また、排気ロッカアーム44のバルブ側アーム部44ｖは、カム軸線方向で吸気ロッカアーム43側（右側）に屈曲して、バルブ側アーム部44ｖの先端作用部である調整ネジ44ｔが吸気ロッカアーム43の揺動軸支部43ａと同じ軸方向位置に偏移している。
【００４５】
図２および図４に示されるように、吸気ロッカアーム43のカム側アーム部43ｃの屈曲部43ｅと排気ロッカアーム44のバルブ側アーム部44ｖの屈曲部44ｅは、互いに隣接している。
【００４６】
以上のように、本動弁機構30は構成されており、クランクシャフト12に同期してカムシャフト31が回転すると、共通のカムシャフト31の共通のカムロブ32に転がり接触する一方のカム側アーム部43ｃ，44ｃの先端のローラ43ｒ，44ｒを介して吸気ロッカアーム43と排気ロッカアーム44がそれぞれ所定のタイミングで揺動し、揺動する他方のバルブ側アーム部43ｖ，44ｖの先端の調整ねじ43ｔ，44ｔが吸気バルブ25と排気バルブ26を作動して燃焼室22に臨む吸気ポート23ｐの吸気弁口23と排気ポート24ｐの排気弁口24をそれぞれ所定のタイミングで開閉する。
【００４７】
本内燃機関10は、動弁機構30にデコンプ機構50（図６）が設けられている。
吸気ロッカアーム43と排気ロッカアーム44をともに揺動させるカムシャフト31のカムロブ32の左側面に、図２、図３および図４に示されるようにデコンプ部材51が設けられており、排気ロッカアーム44のカム側アーム部44ｃのローラ44ｒを支持する左側のローラ軸受部44ccには、デコンプ部材51と同じカムシャフト軸方向位置にあって、カムシャフト31に向けて突出したデコンプカム被接触部である突起部44ｐが形成されている。
【００４８】
図６に示されるように、カム側アーム部44ｃの突起部44ｐは、排気側ローラ44ｒがカムロブ32のベース円Ｂｃに接しているときに、カムロブ32の左側面に沿ってベース円Ｂｃより若干径方向内側に突出している。
【００４９】
図６を参照して、デコンプ部材51は、カムロブ32の左側面に支軸52に軸支される基端部51ａからカムシャフト31の軸部すなわち円柱形外面の周囲をカムシャフト31の回転方向（図６に矢印で示す）とは反対方向に円弧状にデコンプウエイト部51ｗがカムロブ32の左側面に沿って延びて、デコンプウエイト部51ｗの先端部にデコンプカム部51ｃが形成されている。
【００５０】
デコンプ部材51は、その基端部51ａがカムロブ32のカム山32ａの側面にベース円Ｂｃの径方向内側で支軸52により枢支される。そして、デコンプ部材51のデコンプウエイト部51ｗは、基端部51ａからカムシャフト31の回転方向とは反対方向にカムシャフト31の軸部の周りを半周以上に亘って円弧状に延びており、デコンプウエイト部51ｗの先端部に形成されるデコンプカム部51ｃが、カムロブ32のカム山32ａとカムシャフト31の軸部に関して略反対側に位置する。
【００５１】
図２および図３に示されるように、デコンプ部材51は、カムシャフト31のカム軸線Ｃｘの軸方向に一定の厚みを有する板状部材である。
そして、図６に示されるように、デコンプ部材51は、全体がカムロブ32のカムプロファイルの内側であって、さらにカムロブ32のベース円Ｂｃの径方向内側にある。
【００５２】
デコンプ部材51の円弧状をなすデコンプウエイト部51ｗは、その半周強に亘る内周面がカムシャフト31の軸部に略沿っており、その内周面の中央部にカムシャフト31の外周面と曲率を同じくする中央当接面51wcが形成され、内周面の先端部にもカムシャフト31の外周面と曲率を同じくする先端当接面51wsが形成されている。
支軸52を中心に揺動するデコンプ部材51は、中央当接面51wcと先端当接面51wsがカムシャフト31の軸部に当接することにより揺動範囲が規制される。
【００５３】
支軸52のデコンプ部材51の基端部51ａより突出した部分にコイル状のトーションスプリング（付勢手段）55が巻回され、その一端部がカムシャフト31に径方向に穿孔された孔に挿入され、他端部がデコンプ部材51のデコンプウエイト部51ｗの外周面に係止されている。
【００５４】
このトーションスプリング55によりデコンプ部材51は、図６で時計回りに付勢され、デコンプウエイト部51ｗの中央当接面51wcがカムシャフト31の軸部に当接するところで規制されて停止する。
図６の実線で示すデコンプ部材51が、中央当接面51wcがカムシャフト31の軸部に当接したときの状態を示している。
【００５５】
この状態からカムシャフト31が回転してデコンプ部材51のデコンプウエイト部51ｗに所定以上の遠心力が働くと、トーションスプリング55の付勢力に抗してデコンプ部材51が反時計回りに揺動し、デコンプウエイト部51ｗの先端当接面51wsがカムシャフト31の軸部に当接するところで規制されて停止する。
図６の２点鎖線で示すデコンプ部材51が、先端当接面51wsがカムシャフト31の軸部に当接したときの状態を示している。
【００５６】
デコンプ部材51の円弧状のデコンプウエイト部51ｗは、外周面が先端部において径方向外側に突出してデコンプカム部51ｃを形成している。
カムシャフト31の回転による遠心力が小さく、デコンプ部材51がトーションスプリング55の付勢力によりデコンプウエイト部51ｗの中央当接面51wcをカムシャフト31の軸部に当接しているとき、すなわちデコンプ部材51が図６において実線で示す状態にあるとき、径方向外側に突出したデコンプカム部51ｃは、カムロブ32の略ベース円Ｂｃに接する位置にあって、カムロブ32とともに回転するデコンプ部材51の径方向外側に突出したデコンプカム部51ｃのみが、排気ロッカアーム44のカム側アーム部44ｃのカムロブ32の左側面に沿ってベース円Ｂｃより若干内側に突出した突起部44ｐに摺接する。
【００５７】
この排気ロッカアーム44の突起部44ｐに摺接するデコンプカム部51ｃのデコンプカム面Ｓｃ（図６に太線で示す）は、滑らかな湾曲面をなしている。
図６を参照して、径方向外側に突出したデコンプカム部51ｃにおける排気ロッカアーム44の突起部44ｐに摺接して作用する図６に太線で示すデコンプカム面Ｓｃは、カムロブ32に対して次のような相対位置にある。同デコンプカム面Ｓｃの任意の点Ｐのデコンプ部材51の揺動中心（支軸52）周りでの揺動軌跡を円弧Ｒｓとし、一方、デコンプ部材51がトーションスプリング55の付勢力の下でデコンプウエイト部51ｗの中央当接面51wcをカムシャフト31の軸部に当接している停止位置における前記任意の点Ｐの回転方向近傍範囲で、同任意の点Ｐを通る、カムシャフト31の回転中心（カム軸線Ｃｘ）周りの仮想円の円弧を円弧Ｒｒとした場合、円弧Ｒｓが円弧Ｒｒの径方向内側になるように、デコンプカム面Ｓｃのカムロブ32に対する相対位置が決められている。
【００５８】
このように構成することで、デコンプ部材51が、そのデコンプウエイト部51ｗがカムシャフト31の回転による遠心力を受けることで、トーションスプリング55の付勢力に抗して揺動すると、デコンプカム部51ｃのデコンプカム面Ｓｃが、点Ｐの揺動軌跡である円弧Ｒｓに沿って変位し、したがって、デコンプカム面Ｓｃは、点Ｐのカムシャフト回転中心（カム軸線Ｃｘ）周りの回転軌跡である前記円弧Ｒｒより径方向内側の軌跡をとって、径方向内側に没するようにすることができる。
デコンプカム部51ｃのデコンプカム面Ｓｃが径方向内側に没したときは、図６に２点鎖線で示すように、排気ロッカアーム44の突起部44ｐはデコンプカム面Ｓｃに接することがなく、排気ロッカアーム44を揺動させることがない。
【００５９】
また、図６を参照して、径方向外側に突出したデコンプカム部51ｃのデコンプカム面Ｓｃの曲面形状は、同デコンプカム面Ｓｃの任意の点Ｐにおける法線Ｌが、デコンプ部材51の揺動中心（支軸52）または同揺動中心（支軸52）より前記カムシャフト31の回転方向にずれた位置を通るような曲面形状に形成されている。
【００６０】
そのため、図７を参照して、デコンプ部材51のデコンプカム面Ｓｃが排気ロッカアーム44の突起部44ｐに接してそれに作用するときのデコンプカム面Ｓｃが受ける反力Ｆ（図７に矢印で示す）が、デコンプ部材51の揺動中心（支軸52）に向いてデコンプ部材51を揺動させない。一方、図７に示されるように、デコンプカム面Ｓｃが受ける反力Ｆ（図７）が、同揺動中心（支軸52）よりカムシャフト31の回転方向にずれた位置に向いて作用する場合は、デコンプカム面Ｓｃが排気ロッカアーム44の突起部44ｐに接してそれに作用するとき、デコンプカム部51ｃが径方向外側に向かう方向にデコンプ部材51を揺動させる力（図７で時計回りに揺動させる力）が働く。そして、デコンプ部材51は、デコンプウエイト部51ｗの中央当接面51wcがカムシャフト31の軸部に当接して停止した状態にあることから、この停止位置を確固として維持する。
【００６１】
したがって、排気ロッカアーム44の突起部44ｐが接することで、デコンプカム面Ｓｃが受ける反力Ｆは、デコンプカム部51ｃを揺動させることがなく、デコンプカム部51ｃが径方向外側に突出した状態が維持され、よって、カムシャフト31の回転による遠心力が小さい場合、排気ロッカアーム44をデコンプのために確実に揺動させることができる。
一方、カムシャフト31の回転による遠心力が大きくなって、デコンプ部材51が、トーションスプリング55の付勢力に抗して図６で時計回りに支軸52周りに回動すると、デコンプカム面Ｓｃ上の点Ｐのデコンプ部材51の揺動中心（支軸52）周りでの揺動軌跡である円弧Ｒｓが、デコンプカム面Ｓｃ上の点Ｐのカムシャフト回転中心（カム軸線Ｃｘ）周りの仮想円である前記円弧Ｒｒより径方向内側の軌跡をとることで、デコンプカム面Ｓｃは径方向内側に没し、デコンプカム面Ｓｃが排気ロッカアーム44の突起部44ｐに接することがなく、デコンプ作用は起きない。
【００６２】
このように、本デコンプ機構50は、デコンプ部材51がデコンプカム部51ｃとともにデコンプウエイト部51ｗを一体に備えていて、従来のデコンプカムとデコンプウエイトを別体に有して組み合わせてデコンプ機構を構成するのに比べて大幅に部品点数を削減し複雑な加工を必要としない簡素な構造である。それにも拘わらず、カムシャフト31の回転による遠心力によりトーションスプリング55の付勢力に抗してデコンプカム部51ｃを揺動してデコンプカム面Ｓｃを径方向内側に没することができ、一方で、排気ロッカアーム44の突起部44ｐに接したときデコンプカム部51ｃのデコンプカム面Ｓｃが受ける反力Ｆは、デコンプカム面Ｓｃを径方向内側に没することなく確固として受け止められて、排気ロッカアーム44を確実に揺動させて、デコンプを実行することができる。
【００６３】
したがって、内燃機関10の機関回転数が小さいとき、すなわちカムシャフト31の回転速度が小さいとき、トーションスプリング55の付勢力によりデコンプ部材51のデコンプカム部51ｃが径方向外側に突出して、排気ロッカアーム44の突起部44ｐにデコンプカム面Ｓｃが摺接し、このとき、デコンプカム部51ｃは径方向外側に突出して停止した状態が維持されることで、図７に示すように、排気ロッカアーム44を確実に揺動し、バルブ側アーム部44ｖの先端の調整ねじ44ｔが排気バルブ26を押して排気弁口24を開き、燃焼室22内の圧力が抜けるようにし、始動を容易にすることができる。
【００６４】
内燃機関10の機関回転数が大きくなり、デコンプ部材51のデコンプウエイト部51ｗに遠心力が働き、トーションスプリング55の付勢力に抗してデコンプ部材51がカムロブ32に対して揺動すると、デコンプ部材51は図６に２点鎖線で示す位置で停止して、このときデコンプカム部51ｃは径方向内側に没して排気ロッカアーム44の突起部44ｐに接しないで、デコンプを実行しなくなる。
【００６５】
以上のように、本デコンプ機構50は、大幅に部品点数を削減して構造を簡素化し加工工数も少ないので、コストが削減されるとともに、デコンプ機構50の占めるスペースが極めて小さくてすみ、動弁機構30をコンパクトに構成して、内燃機関10の小型化を図ることができる。
【００６６】
本ＳＯＨＣ型内燃機関10の動弁機構30において、吸気ロッカアーム43と排気ロッカアーム44は、カム軸線Ｃｘの指向する方向に視たカム軸線方向視（図２）（またはロッカアームシャフト41の軸線方向視）で中央の揺動軸支部43ａ，44ａが重なるとともに、シリンダ軸線Ｃｙの指向する方向に視たシリンダ軸線方向視（図４）で吸気ロッカアーム43のカム側アーム部43ｃと排気ロッカアーム44のバルブ側アーム部44ｖが交差するように重なる。そして、吸気ロッカアーム43と排気ロッカアーム44の双方は、カムシャフト31に形成された共通のカムロブ32により作動されるので、カムシャフト31にはカムロブ32が１つ形成され、吸気ロッカアーム43と排気ロッカアーム44がシリンダ軸線方向視で交差するように重なって双方が１つの共通のカムロブ32に接する構成で、カムシャフト31のカムロブ32の周辺を軸方向に小さく抑え、内燃機関10の小型化を図ることができる。
【００６７】
吸気ロッカアーム43と排気ロッカアーム44は、吸気バルブ25と排気バルブ26の間に配設された共通のロッカアームシャフト41に揺動自在に軸支され、それぞれ揺動軸支部43ａ，44ａから両側にカムロブ32に接するカム側アーム部43ｃ，44ｃと吸気バルブ25または排気バルブ26に作用するバルブ側アーム部43ｖ，44ｖとが延びているので、吸気ロッカアーム43と排気ロッカアーム44はロッカアームシャフト41を共通にすることで、部品点数を減らし、ロッカアームシャフト41の周辺を小さく抑えてシリンダヘッド17を小型にし、内燃機関10の小型化を図ることができる。
【００６８】
図４に示されるように、吸気ロッカアーム43のカム側アーム部43ｃは、軸方向で排気ロッカアーム44側（左側）に屈曲して、カム側アーム部43ｃの先端接触部である吸気側ローラ43ｒが排気ロッカアーム44の揺動軸支部44ａと同じ軸方向位置に偏移しているので、吸気ロッカアーム43と排気ロッカアーム44の各カム側アーム部43ｃ，44ｃの先端接触部である吸気側ローラ43ｒおよび排気側ローラ44ｒを、軸方向で略同じ位置にすることができ、よって共通のカムロブ32の軸方向幅を狭くし、動弁機構30のカムシャフト31のカムロブ32の周辺を軸方向に小さく抑えてコンパクトに構成し、シリンダヘッド17をより一層小型化することができる。
【００６９】
図４に示されるように、排気ロッカアーム44のバルブ側アーム部44ｖは、軸方向で吸気ロッカアーム43側（右側）に屈曲して、バルブ側アーム部44ｖの先端作用部である調整ネジ44ｔが吸気ロッカアーム43の揺動軸支部43ａと同じ軸方向位置に偏移しているので、吸気ロッカアーム43と排気ロッカアーム44の各バルブ側アーム部43ｖ，44ｖの先端作用部である調整ネジ43ｔ，44ｔを軸方向で略同じ位置にすることができ、よって吸気バルブ25と排気バルブ26を軸方向で略同じ位置として狭い軸方向幅内に収めて、動弁機構30をコンパクトに構成してシリンダヘッド17をより一層小型化することができる。
【００７０】
本動弁機構30は、上記したように、吸気ロッカアーム43と排気ロッカアーム44の各カム側アーム部43ｃ，44ｃの先端接触部である吸気側ローラ43ｒおよび排気側ローラ44ｒを、軸方向で略同じ位置とし、かつ、各バルブ側アーム部43ｖ，44ｖの先端作用部である調整ネジ43ｔ，44ｔを軸方向で略同じ位置にしているので、カムシャフト31のカムロブ32の周辺を軸方向に小さく抑え、吸気バルブ25と排気バルブ26を軸方向で略同じ位置として狭い軸方向幅内に収めることで、動弁機構全体をコンパクトに構成してシリンダヘッド17をより一層小型化することができ、内燃機関10の一層の小型化を図ることができる。
【００７１】
図２および図４に示されるように、吸気ロッカアーム43のカム側アーム部43ｃの屈曲部43ｅと排気ロッカアーム44のバルブ側アーム部44ｖの屈曲部44ｅは、互いに近傍に位置するので、吸気ロッカアーム43と排気ロッカアーム44は、各屈曲部43ｅ，44ｅを１つ処に集約することで、よりコンパクトに構成され、益々シリンダヘッド17の小型化を図ることができる。
【００７２】
吸気ロッカアーム43と排気ロッカアーム44のカムロブ32に接する各カム側アーム部43ｃ，44ｃの先端接触部は、回転自在に軸支された吸気側ローラ43ｒ，排気側ローラ44ｒであるので、カムロブ32との接触が転がり接触となり、摺動抵抗を下げることができる。
【００７３】
以上の実施の形態に係る動弁機構では、排気側ローラ44ｒは、カム側アーム部44ｃの先端の二股に分岐した一対のローラ軸受部44cc，44ccにより、所謂両持ち支持されていたが、一方のローラ軸受部44ccのみで、片持ち支持としてもよい。
図８は、吸気側ローラ43ｒと排気側ローラ44ｒが、ともに左側のローラ軸受部43cc，44ccにより片持ち支持された別の実施の形態を示す。
【００７４】
吸気側ローラ43ｒと排気側ローラ44ｒのそれぞれ右側のローラ軸受部43cc，44ccが省略されたことにより、吸気ロッカアーム43と排気ロッカアーム44の軸方向幅を小さく抑えることができ、動弁機構の小型化を図ることができる。
なお、排気側ローラ44ｒを支持する左側のローラ軸受部44ccには、デコンプ部材51のデコンプカム部51ｃが接触する突起部44ｐが形成されている。
【００７５】
以上、本発明に係る実施形態の内燃機関の動弁機構につき説明したが、本発明の態様は、上記実施形態に限定されず、本発明の要旨の範囲で、多様な態様で実施されるものを含むものである。
なお、各機器の左右の配置は、説明の便宜上、図示のものに特定して記載したが、上記実施形態に示すものと左右逆となる配置のものであってもよく、本発明に含まれる。
【符号の説明】
【００７６】
Ｃｘ…カム軸線、Ｃｙ…シリンダ軸線、Ｓｃ…デコンプカム面、Ｂｃ…ベース円、Ｒｒ…回転軌跡である円弧、Ｒｓ…揺動軌跡である円弧、
10…内燃機関、11…クランクケース、12…クランクシャフト、13…メインシャフト、14…カウンタシャフト、15…変速歯車機構、16…シリンダブロック、17…シリンダヘッド、18…シリンダヘッドカバー、20…ピストン、21…コンロッド、22…燃焼室、23…吸気弁口、24…排気弁口、25…吸気バルブ、26…排気バルブ、
30…動弁機構、31…カムシャフト、32…カムロブ、33…、34…カムチェーンスプロケット、35…カムチェーン、41…ロッカアームシャフト、
43…吸気ロッカアーム、43ｖ…バルブ側アーム部、43ｔ…調整ネジ、43ｃ…カム側アーム部、43ｅ…屈曲部、43cc…ローラ軸受部、43ｒ…吸気側ローラ、
44…排気ロッカアーム、44ｖ…バルブ側アーム部、44ｅ…屈曲部、44ｔ…調整ネジ、44ｃ…カム側アーム部、44cc…ローラ軸受部、44ｐ…突起部、44ｒ…排気側ローラ、
50…デコンプ機構、51…デコンプ部材、51ａ…基端部、51ｗ…デコンプウエイト部、51ｃ…デコンプカム部、52…支軸、55…トーションスプリング。
【図１】
2016052530.tif 000003
【図２】
2016052530.tif 000004
【図３】
2016052530.tif 000005
【図４】
2016052530.tif 000006
【図５】
2016052530.tif 000007
【図６】
2016052530.tif 000008
【図７】
2016052530.tif 000009
【図８】
2016052530.tif 000010
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
シリンダヘッド（１７）上に設けられ、カムロブ（３２）を有する１本のカムシャフト（３１）と、カムロブ（３２）の作用を受けて揺動し、それぞれ吸気バルブ（２５）と排気バルブ（２６）を作動して燃焼室（２２）に臨む吸気ポート（２３ｐ）の開口と排気ポート（２４ｐ）の開口をそれぞれ所定のタイミングで開閉する吸気ロッカアーム（４３）と排気ロッカアーム（４４）とを備え、前記吸気ロッカアーム（４３）と排気ロッカアーム（４４）は、それぞれ、前記カムロブ（３２）に接するカム側アーム部（４３ｃ，４４ｃ）と前記吸気バルブ２５）および前記排気バルブ（２６）に作用するバルブ側アーム部（４３ｖ，４４ｖ）とを有する、ＳＯＨＣ型内燃機関の動弁機構において、
前記吸気ロッカアーム（４３）と排気ロッカアーム（４４）のうち一方のロッカアーム（４３）のカム側アーム部（４３ｃ）が屈曲部（４３ｅ）をなし、他方のロッカアーム（４４）のバルブ側アーム部（４４ｖ）が屈曲部（４４ｅ）をなし、前記両屈曲部（４３ｅ，４４ｅ）が互いに隣接して配置され、
前記吸気ロッカアーム（４３）と前記排気ロッカアーム（４４）は、前記カムシャフト（３１）のカム軸線（Ｃｘ）方向視で部分的に重なるとともに、内燃機関のシリンダ軸線（Ｃｙ）方向視で交差するように重なり、前記カムシャフト（３１）に形成された前記カムロブ（３２）が単体に統合されていることを特徴とする内燃機関の動弁機構。
【請求項２】
前記吸気ロッカアーム（４３）と前記排気ロッカアーム（４４）は、前記吸気バルブ（２５）と前記排気バルブ（２６）の間に配設された共通のロッカアームシャフト（４１）に、それぞれの揺動軸支部（４３ａ，４４ａ）において揺動自在に軸支され、
それぞれの揺動軸支部（４３ａ，４４ａ）から相反する側に前記カムロブ（３２）に接する前記カム側アーム部（４３ｃ，４４ｃ）と前記吸気バルブ（２５）および前記排気バルブ（２６）に作用する前記バルブ側アーム部（４３ｖ，４４ｖ）とが延出していることを特徴とする請求項１記載の内燃機関の動弁機構。
【請求項３】
前記吸気ロッカアーム（４３）と前記排気ロッカアーム（４４）のうち一方のロッカアーム（４３）のカム側アーム部（４３ｃ）は、前記ロッカアームシャフト（４１）の軸方向で他方のロッカアーム（４４）側に屈曲して、該カム側アーム部（４３ｃ）の先端接触部（４３ｒ）が他方のロッカアーム（４４）の揺動軸支部（４４ａ）と同じ軸方向位置に偏移することを特徴とする請求項２記載の内燃機関の動弁機構。
【請求項４】
前記吸気ロッカアーム（４３）と前記排気ロッカアーム（４４）のうち一方のロッカアーム（４４）のバルブ側アーム部（４４ｖ）は、前記ロッカアームシャフト（４１）の軸方向で他方のロッカアーム（４３）側に屈曲して、該バルブ側アーム部（４４ｖ）の先端作用部（４４ｔ）が他方のロッカアーム（４３）の揺動軸支部（４３ａ）と同じ軸方向位置に偏移することを特徴とする請求項２記載の内燃機関の動弁機構。
【請求項５】
前記吸気ロッカアーム（４３）と前記排気ロッカアーム（４４）のうち一方のロッカアーム（４３）のカム側アーム部（４３ｃ）は、前記ロッカアームシャフト（４１）の軸方向で他方のロッカアーム（４４）側に屈曲して、該カム側アーム部（４３ｃ）の先端接触部（４３ｒ）が他方のロッカアーム（４４）の揺動軸支部（４４ａ）と同じ軸方向位置に偏移し、
他方のロッカアーム（４４）のバルブ側アーム部（４４ｖ）は、前記軸方向で一方のロッカアーム（４３）側に屈曲して、該バルブ側アーム部（４４ｖ）の先端作用部（４４ｔ）が一方のロッカアーム（４３）の揺動軸支部（４３ａ）と同じ軸方向位置に偏移することを特徴とする請求項２記載の内燃機関の動弁機構。
【請求項６】
（削除）
【請求項７】
前記吸気ロッカアーム（４３）と前記排気ロッカアーム（４４）の前記カムロブ（３２）に接する各カム側アーム部（４３ｃ，４４ｃ）の先端接触部（４３ｒ，４４ｒ）は、回転自在に軸支されたローラ（４３ｒ，４４ｒ）であることを特徴とする請求項１ないし請求項６のいずれか１項記載の内燃機関の動弁機構。
【請求項８】
前記ローラ（４３ｒ，４４ｒ）は、片持ち支持されることを特徴とする請求項７記載の内燃機関の動弁機構。
【国際調査報告】
2016052530.tif 000011
2016052530.tif 000012
2016052530.tif 000013
2016052530.tif 000014